(57)【要約】【課題】従来のバックライトモジュールにおいて、溶接の方式でランプリード線と線材を接続する際もたらす問題を解決するためのバックライトモジュール及びコネクタを提供する。【解決手段】コネクタは、ケースと、導電端子と、蓋体とを含む。該ケースの内部に収納槽が設けられた。該導電端子が該収納槽内に設けられ、導電端子の上半部が係止部を有し、線材が該係止部に係合され、導電端子の下半部がピン部を有する。該蓋体が二つの挟持アームを有し、これらの挟持アームが対向に設置され該蓋体の一方の面の縁部から外向いて延びられ、これらの挟持アームが対応する係止部を挟持し、且つ各挟持アームの一端が該ケースの一側壁に係合された。バックライトモジュールのうち該ランプが該該コネクタを介して換流器ユニットと電気的に接続する。【選択図】図４Ａ
0003128856.tif 000002
【実用新案登録請求の範囲】
【請求項１】
線材を差込むことに適するコネクタであって、
内部に収納槽が設けられたケースと、
前記収納槽内に設けられ、その上半部が線材を係合するための係止部を有し、下半部がピン部を有する導電端子と、
対向に設置され蓋体の一方の面の縁部から外向いて延びた二つの挟持アームを有し、これらの挟持アームが対応する係止部を挟持し、且つ各挟持アームの一端が前記ケースの一つの側壁に係合される蓋体とを含むコネクタ。
【請求項２】
前記導電端子は、本体と、前記本体の二つの対向側から上向いて屈折してなる二つの弾性アームと、前記本体の他方の二つの対向側から下向いて屈折してなる二つのピンとを含み、そのうちでは、前記係止部がこれらの弾性アームの自由端から下向いて屈折してなり、前記ピン部がこれらのピンの自由端に形成されることを特徴とする請求項１に記載のコネクタ。
【請求項３】
前記ケースと前記蓋体との間に、前記線材を配置するように、前記係止部に対応する貫通孔を形成することを特徴とする請求項１に記載のコネクタ。
【請求項４】
前記係止部の外表面がエンボス粗面であることを特徴とする請求項１に記載のコネクタ。
【請求項５】
前記導電端子は、一対の挟持アームを有し、前記挟持アームの頂端が、対向し且つ下向いて屈折され係止部を形成し、前記挟持アームの底端が下向いて延び、ピン部を形成することを特徴とする請求項１に記載のコネクタ。
【請求項６】
制御回路基板と、
前記制御回路基板に配置された換流器ユニットと、
少なくとも一つのランプリード線を有するランプと、
前記制御回路基板に配置され、内部に収納槽が設けられたケースと、前記収納槽内に設けられ、その上半部が係止部を有し、下半部がピン部を有し、前記ピン部が前記制御回路基板に電気的に接続される導電端子と、対向に設置され蓋体の一方の面の縁部から外向いて延びた二つの挟持アームを有し、これらの挟持アームが対応する係止部を挟持し、且つ各挟持アームの一端が前記ケースの一側壁に係合される蓋体とを含むコネクタと、を備え、
前記ランプのランプリード線が前記係止部に係合され前記コネクタと直接、電気的に接続され、且つ、前記ランプが前記コネクタおよび前記制御回路基板を介して前記換流器ユニットと電気的に接続されることを特徴とするバックライトモジュール。
【考案の詳細な説明】
【技術分野】
【０００１】
本考案は、バックライトモジュール及びそのコネクタに係わり、特に、ランプのランプリード線がコネクタを直接に介して換流器に電気的に接続したバックライトモジュール及びそのコネクタに関するものである。
【背景技術】
【０００２】
図１は、従来のバックライトモジュールにおけるランプと換流器との間の接続方式を示す図である。図１を参照すると、バックライトモジュール１００は、主に、ランプ１１０、ランプリード線１２０、線材１３０、コネクタ１４０および換流器１５０を含む。そのうちでは、ランプ１１０の一端に配置されたランプリード線１２０は、溶接の方式で線材１３０と電気的に接続されるため、ランプリード線１２０と線材１３０との間に半田１６０がある。該線材１３０は、その端末のコネクタ１４０を介して換流器１５０上の対応するソケット１５２に差込み、ランプ１１０が線材１３０により換流器１５０と電気的に接続されるようになる。
【０００３】
換流器１５０が２回の変換で生じる高電圧は、コネクタ１４０、線材１３０、半田１６０およびランプリード線１２０の伝送を順次に経て、ランプ１１０のうち一端に与えられる。ランプ１１０の両端に印加した電圧によって発生する電位差によって、ランプ１１０内に充填された放電ガスが励起され紫外光を放出するようになり、紫外光がランプ１１０の管壁上に塗布された蛍光材に照射されると、可視光を射出できる。
【０００４】
しかしながら、前記のバックライトモジュールにおいて、そのランプと換流器との間の接続方式は、以下の解決しようとする問題を有する。
（１）放熱問題  前記ランプリード線と線材は、ともに、よい導電および導熱特性のある銅からなるが、両者の間に接続した半田のため、その導電および導熱特性が低下するので、ランプの動作時に生じる熱が半田継手（Solder Joint）の前に全て集中され易くなり、有効に排除できず、ランプの使用寿命に影響される。
（２）半田継手の問題が多い。溶接が手作業で完成されるため、作製上では人力や時間を費やし、組立が不便で、作製コストも上昇する。また、仮溶接、溶接強度及び引張りが不足、断線などの問題が極めて発生し易く、バックライトモジュールの歩留まりに影響する。また、半田継手の再加工が難しいという問題もある。
（３）コストが高い。ランプリード線の元の長さは約１０ｍｍ〜１５ｍｍの間である。しかしながら、ランプリード線と線材を溶接しようとすると、それを２ｍｍ〜３ｍｍまでにカットする必要があり、このようにすれば材料が無駄になることに繋がる。また、前記の方式でランプと換流器との間の接続を行う時、別に一段の線材をランプと換流器との間の電気接続の架け橋とする必要があり、該線材を使用すると、バックライトモジュール全体の作製コストにも負担になる。
（４）換流器が供給すべきパワーが比較的に高い。換流器が供給する高電圧が線材及び半田の伝送によりランプリード線に伝送される。しかしながら、換流器が発生する高電圧が前記線材及び半田を経てから電圧低下（ｖｏｌｔａｇｅ  ｄｒｏｐ）を発生するので、換流器がより高いパワーを供給しなければ、ランプの一端に所望の電圧を与えられない。このように、作製コストが増加されることにもなる。
【０００５】
そのため、従来のバックライトモジュールのうち、ランプと換流器との間の接続方式をどのように改善するかということと、前記放熱や、半田継手の問題及び高い作製コストなどの問題を克服することとは、実に解決しようとする大きな問題である。
【０００６】
そのため、本考案の考案者は、長年の豊富な実務経験に基づいて、丹念に観察かつ研究をし、さらに学術理論の運用に合せ、合理的な設計並びに従来の問題を有効に解決する本考案を提供する。
【考案の開示】
【考案が解決しようとする課題】
【０００７】
本考案の目的は、線材をその中に差込むことに適しており、線材をコネクタを介して電子部品と電気的に接続できるコネクタを提供する。
【０００８】
本考案の他の目的は、ランプのランプリード線がコネクタに直接に電気的に接続し、且つランプが該コネクタを介して換流器ユニットに電気的に接続し、従来のバックライトモジュールにおいて、溶接方式でランプリード線と線材を接続する際にもたらす問題を避けるバックライトモジュールを提供する。
【課題を解決するための手段】
【０００９】
前記目的を達成するため、本考案は、線材を差込むことに適するコネクタであって、内部に収納槽が設けられたケースと、前記収納槽内に設けられ、その上半部が線材を係合するための係止部を有し、下半部がピン部を有する導電端子と、対向に設置され蓋体の一方の面の縁部から外向いて延びた二つの挟持アームを有し、これらの挟持アームが対応する係止部を挟持し、且つ各挟持アームの一端が前記ケースの一つの側壁に係合される蓋体とを含むコネクタを提供する。
【００１０】
好ましくは、前記導電端子は、さらに、本体と、前記本体の二つの対向側から上向いて屈折してなる二つの弾性アームと、前記本体の他方の二つの対向側から下向いて屈折してなる二つのピンと、を含み、そのうちでは、前記係止部がこれらの弾性アームの自由端から下向いて屈折してなり、前記ピン部がこれらのピンの自由端に形成される。
【００１１】
好ましくは、これらの弾性アームと前記ケースとの間に凸掛け及び凹穴により互いに係合されることが好ましい。
【００１２】
好ましくは、前記ケースと前記蓋体との間に、前記線材を配置するように、前記係止部に対応する貫通孔を形成することが好ましい。
【００１３】
前記目的を達成するため、本考案は、少なくとも、制御回路基板と、前記制御回路基板に配置された換流器ユニットと、少なくとも一つのランプリード線を有するランプと、前記制御回路基板に配置され、内部に収納槽が設けられたケースと、前記収納槽内に設けられ、その上半部が係止部を有し、下半部がピン部を有し、前記ピン部が前記制御回路基板に電気的に接続される導電端子と、対向に設置され蓋体の一方の面の縁部から外向いて延びた二つの挟持アームを有し、これらの挟持アームが対応する係止部を挟持し、且つ各挟持アームの一端が前記ケースの一側壁に係合される蓋体とを含むコネクタと、を備え、前記ランプのランプリード線が前記係止部に係合され前記コネクタと直接、電気的に接続され、且つ、前記ランプが前記コネクタおよび前記制御回路基板を介して前記換流器ユニットと電気的に接続されるバックライトモジュールを提供する。
【００１４】
好ましくは、前記ランプは冷陰極蛍光ランプである。
【００１５】
好ましくは、前記導電端子は、本体と、前記本体の二つの対向側から上向いて屈折してなる二つの弾性アームと、前記本体の他方の二つの対向側から下向いて屈折してなる二つのピンとを含み、そのうちでは、前記係止部がこれらの弾性アームの自由端から下向いて屈折してなり、前記ピン部がこれらのピンの自由端に形成される。
【００１６】
好ましくは、これらの弾性アームと前記ケースとの間に凸掛け及び凹穴により互いに係合される。
【００１７】
好ましくは、前記ケースと前記蓋体との間に、前記ランプのランプリード線を配置するように、前記係止部に対応する貫通孔を形成する。
【考案の効果】
【００１８】
このような特徴を有する本考案によれば、ランプと換流器との間の接続方法を改善し、バックライトモジュールの作製コストを下げることができる。
【考案を実施するための最良の形態】
【００１９】
本考案の特徴及び技術内容をより理解しやすくするため、以下に添付図面を参照しながら本考案に関わる詳しい説明を行う。しかしながら、それらの添付図面は参考及び説明のためにだけ使われ、本考案の主張範囲を狭義的に局限するものではないことは言うまでもないことである。
【００２０】
図２及び図３は、本考案に係るバックライトモジュール及びコネクタを示し、図２及び図３を参照すると、該バックライトモジュール２００は、主に、制御回路基板２１０と、直流電圧を交流電圧に変換する換流器ユニット２２０と、ランプ２３０と、コネクタ２４０とを備える。そのうちでは、換流器ユニット２２０が該制御回路基板２１０に配置され、該制御回路基板２１０に電気的に接続される。該ランプ２３０の一端にはランプリード線２３２を有する。該コネクタ２４０が該制御回路基板２１０に配置され、該制御回路基板２１０に電気的に接続され、ランプ２３０のランプリード線２３２がコネクタ２４０と直接、電気的に接続され、該ランプ２３０が前記コネクタ２４０および制御回路基板２１０を介して換流器ユニット２２０と電気的に接続される。このように、該制御回路基板２１０に配置された換流器ユニット２２０が、ランプ２３０と直接、電気的に接続でき、従来のバックライトモジュールのように線材及び半田が信号伝送を媒介する必要はなくなり、放熱や半田継手の問題及び高い作製コストなどの問題を解決できる。
【００２１】
図４Ａ及び図４Ｂは、それぞれ本考案に係るバックライトモジュールに配置されたコネクタの好ましい実施の形態を示す分解斜視図及び組立斜視図である。図４Ａに示すように、該コネクタ２４０は、ケース２４１と、導電端子２４２と、蓋体２４３とを含む。
【００２２】
ケース２４１の内部には収納槽２４１ａが設けられる。導電端子２４２が該収納槽２４１ａ内に設けられ、導電端子２４２の上半部が係止部２４２ｄを有し、該係止部２４２ｄの外表面がエンボス粗面であり、該ランプ２３０のランプリード線２３２と係止部２４２ｄの間の摩擦力を向上させ、係止部２４２ｄが好ましい係止力をもたせる。該導電端子２４２の下半部がピン部２４２ｅを有し、該ピン部２４２ｅが前記制御回路基板２１０に電気的に接続される。蓋体２４３が二つの挟持アーム２４３ａを有し、これらの挟持アーム２４３ａが対向に設置され該蓋体２４３の一方の面の縁部から外を向いて延び、これらの挟持アーム２４３ａが対応する係止部２４２ｄを挟んで保持し、且つ各挟持アーム２４３ａの一端が該ケース２４１の一つの側壁２４１ｂに係合される。そのうちでは、該ランプ２３０のランプリード線２３２が該係止部２４２ｄに係合され、該コネクタ２４０と直接電気的に接続され、且つ、該ランプ２３０が該コネクタ２４０および該制御回路基板２１０を介して該換流器ユニット２２０と電気的に接続される。本実施の形態では、前記ランプ２３０は冷陰極蛍光ランプである。
【００２３】
本実施の形態では、該導電端子２４２は金属材料よりなり、本体２４２ａと、二つの弾性アーム２４２ｂと、二つのピン２４２ｃとを含む。二つの弾性アーム２４２ｂは該本体２４２ａの二つの対向側から上向いて屈折してなる。二つのピン２４２ｃは該本体２４２ａの他方の二つの対向側から下向いて屈折してなる。そのうちでは、該係止部２４２ｄがこれらの弾性アーム２４２ｂの自由端から下向いて屈折してなる。該ピン部２４２ｅがこれらのピン２４２ｃの自由端に形成される。
【００２４】
本実施の形態では、これらの弾性アーム２４２ｂと該ケース２４１との間の凸型の爪及び凹型の穴（図示せず）により互いに係合される。
【００２５】
本実施の形態では、該ケース２４１と該蓋体２４３との間に貫通孔２４４が形成され、該貫通孔２４４が該係止部２４２ｄに対応し、該ランプ２３０のランプリード線２３２を配置させる。
【００２６】
組立の時に、該ランプ２３０の一端のランプリード線２３２が、該導電端子２４２の係止部２４２ｄに係合され、よって、該ランプ２３０が該コネクタ２４０を介して該制御回路基板２１０と電気的に接続される。
【００２７】
図５は、本考案に係るコネクタを線材差込に供するもう一つの実施の形態を示す分解斜視図である。図５を参照すると、該コネクタ２４０は、線材３００も差込でき、該線材３００が該コネクタを介して電子部品（図示せず）と電気的に接続される。
【００２８】
図６は、本考案に係るコネクタの導電端子のさらにもう一つの実施の形態を示す分解斜視図である。ここでは、該コネクタ２４０の導電端子２４２のさらにもう一つ実施の形態のみをさらに説明する。該導電端子２４２が一対の挟持アーム２４２ｆを有し、該一対の挟持アーム２４２ｆがそれぞれ独立である。該一対の挟持アーム２４２ｆの頂端が、対向し且つ下向いて屈折され、係止部２４２ｄを形成し、該係止部２４２ｄの外表面がエンボス粗面であり、如何なる線材と係止部２４２ｄの間の摩擦力を向上させ、係止部２４２ｄが好ましい係止力をもたせる。該一対の挟持アーム２４２ｆの底端が下向いて延び、ピン部２４２ｅを形成する。該一対の挟持アーム２４２ｆと該ケース２４１との間の、凸型の爪及び凹型の穴（図示せず）により互いに係合される。
【００２９】
以上のように、本考案は、ランプのランプリード線をコネクタ内に直接に差込み、コネクタを介して該換流器ユニットに電気的に接続する。このようにすれば、該バックライトモジュールにおけるランプリード線が、従来のバックライトモジュールのうちのランプリード線と異なり、線材及び半田により換流器ユニットに電気的に接続する必要はなくなる。本考案は、従来のバックライトモジュールが持つ放熱や、半田継手の問題及び再加工の難しさ、高い作製コストなどの問題を解決する。
【００３０】
しかし、前記に開示されたそれぞれの具体的な構成は、単に本考案の実施可能な実施の形態に過ぎず、本考案の特徴を局限するものではない。いずれの当該分野における通常の知識を有する専門家が本考案の分野の中で、適当に変更や修飾などを実施できるが、それらの実施のことが本考案の主張範囲内に含まれるべきことは言うまでもないことである。
【図面の簡単な説明】
【００３１】
【図１】従来のバックライトモジュールにおけるランプと換流器との間の接続方式を示す図である。
【図２】本考案に係るバックライトモジュール及びコネクタの実施の形態を示す側面図である。
【図３】本考案に係るバックライトモジュール及びコネクタの実施の形態を示す斜視図である。
【図４Ａ】本考案に係るバックライトモジュールに配置されたコネクタの実施の形態を示す分解斜視図である。
【図４Ｂ】本考案に係るバックライトモジュールに配置されたコネクタの実施の形態を示す組立斜視図である。
【図５】本考案に係るコネクタを線材差込に供するもう一つの実施の形態を示す分解斜視図である。
【図６】本考案に係るコネクタの導電端子のさらにもう一つの実施の形態を示す分解斜視図である。
【符号の説明】
【００３２】
１００  バックライトモジュール
１１０  ランプ
１２０  ランプリード線
１３０  線材
１４０  コネクタ
１５０  換流器
１５２  ソケット
１６０  半田
２００  バックライトモジュール
２１０  制御回路基板
２２０  換流器ユニット
２３０  ランプ
２３２  ランプリード線
２４０  コネクタ
２４１  ケース
２４１ａ  収納槽
２４１ｂ  側壁
２４２  導電端子
２４２ａ  本体
２４２ｂ  弾性アーム
２４２ｃ  ピン
２４２ｄ  係止部
２４３ａ  挟持アーム
２４２ｅ  ピン部
２４４  貫通孔
２４２ｆ  挟持アーム
３００  線材
２４３  蓋体
【図１】
0003128856.tif 000003
【図２】
0003128856.tif 000004
【図３】
0003128856.tif 000005
【図４Ａ】
0003128856.tif 000006
【図４Ｂ】
0003128856.tif 000007
【図５】
0003128856.tif 000008
【図６】
0003128856.tif 000009